(57)【要約】      （修正有）【課題】ランプ交換時、事故を防ぐＬＥＤランプを提供する。【解決手段】取付けの自動制御が可能なＬＥＤランプ構造であって、ランプ本体１及びランプ本体１の底部の下方に取り付けられるランプホルダー３を含む。ランプ本体１の内部には、第１キャビティ４、第２キャビティ５及び第３キャビティ６が上から下へ順次に設けられている。【選択図】図１
2019087514.tif 000002
【特許請求の範囲】
【請求項１】
取付けの自動制御が可能なＬＥＤランプ構造であって、ランプ本体及びランプ本体の底部の下方に取り付けられるランプホルダーを含み、ランプホルダーは、雄ねじ接続部と、雄ねじ接続部の頂部端面に固定して設置される電気接続ロッドと、雄ねじ接続部の底部に固定される取付プレートと、取付プレートの底部に取り付けられるＬＥＤランプ部とを含み、ランプ本体の内部には、第１キャビティ、第２キャビティ及び第３キャビティが上から下へ順次に設けられており、ランプ本体の底部の端面には凹溝が設けられ、第１キャビティ内に第１ギアが設けられ、第１ギアの隣接する右側に第２ギアが噛合して接続されており、第２ギアの頂部は第１モータの動力を得るように接続され、第１ギアの底部にはランプ本体の壁体を貫通してかつ第２キャビティに伸び込む伝動軸が設けられ、第２キャビティには、頂部が伝動軸に固定して接続される回動スリーブが設けられ、回動スリーブ内には雌ねじ室が設けられ、雌ねじ室には移動ブロックが螺合接続され、移動ブロックには第１貫通孔が上下に貫通して設置され、第１ギア及び伝動軸には第２貫通孔が上下に貫通して設置され、第２貫通孔には上下に延伸して設置される回動軸が設けられ、回動軸の頂部端は、第２モータの動力を得るように接続され、回動軸の底部の延長部分は、第２貫通孔及び雌ねじ室を通過してかつ第３キャビティに伸び込んで、回動軸の末端にはスクリューが固定して設置され、第１貫通孔の左右両側における移動ブロックの底部には、下へ延伸して設置される接続棒が対称に設けられ、接続棒の外側壁には第１スライド溝が設けられ、第３キャビティの左右両側の頂部の内壁には、第１スライド溝に嵌め込んで滑合接続するスライド案内ブロックが相対的に設けられ、接続棒の底部の延伸端は、第３キャビティに伸び込んで、かつ底部の末端には給電ピンが設けられ、給電ピンに対向するスライダには第１導電孔が設けられ、導電ブロックは、第１導電孔に電気接続し、第１電気伝導孔は第２電気伝導孔に電気接続しており、第３キャビティの両側内壁には第２スライド溝が対称に設けられ、第３キャビティには両側端が第２スライド溝に伸び込んでかつ滑合接続するスライダが設けられ、スライダはスクリューに螺合接続し、第１モータ及び第２モータは、それぞれ、ランプ本体１内に設置される制御装置により制御され、制御装置は、第１モータ制御素子と第２モータ制御素子を含み、第１モータ制御素子は、雌ねじ室の底部に固定して設置され、移動ブロックが雌ねじ室の底部まで移動すると、第１モータ制御素子に触れ、第１モータ制御素子は、第１モータが回動を停止するように制御し、第２モータ制御素子は、スライダの頂部端面に設けられ、スライダの頂部端面が接続棒の底部端面に当接するとき、接続棒は第２モータ制御素子に触れ、第２モータ制御素子は、第２モータが回動を停止するように制御し、伝動軸は、ランプ本体の壁体の接触部と回転可能に接続され、スライダの底部の両側には下へ延伸して設置される支持棒が設けられ、支持棒は、ランプ本体の壁体を貫通して凹溝を通過して凹溝の底部外へ伸びており、凹溝の内頂壁には導電ブロックが設けられ、支持棒の底部には取付具が設けられ、取付具の底部端面には雌ねじ溝が設けられ、雌ねじ溝の内頂壁には第１電気伝導孔が設けられ、取付具の頂部端面には第２電気伝導孔が設けられていることを特徴とする取付けの自動制御が可能なＬＥＤランプ構造。
【発明の詳細な説明】
【技術分野】
【０００１】
本発明は、ＬＥＤランプの技術分野に関し、具体的には、取付けの自動制御が可能なＬＥＤランプ構造に関する。
【背景技術】
【０００２】
灯具は、日常生活でよく見られる照明用具であり、従来の灯具を取り付けるときには、一般的に手動の方式で取り付ける場合が多く、このような方式は、灯具を取り付けるのに必要であるステップ及び時間が増加するだけでなく、幾つかの工具により補助する必要があり、いつの間にか装着人員を傷つけてしまう可能性が増加する。特に、夜に灯具の故障が発生した場合、暗い環境及び取付けが複雑なことから、ユーザが自分で交換して正常に使用しにくく、かつ装着人員の手や、体の他の部位が電極に触れると、軽い場合では麻痺を感じ、酷い場合では電撃を受けて、それにより感電が発生し、事故を引き起こし、人身及び財産の損失をもたらす。
【発明の概要】
【発明が解決しようとする課題】
【０００３】
本発明は、以下の技術案により達成される。
取付けの自動制御が可能なＬＥＤランプ構造であって、ランプ本体及びランプ本体の底部の下方に取り付けられるランプホルダーを含み、ランプホルダーは、雄ねじ接続部と、雄ねじ接続部の頂部端面に固定して設置される電気接続ロッドと、雄ねじ接続部の底部に固定される取付プレートと、取付プレートの底部に取り付けられるＬＥＤランプ部とを含む。ランプ本体の内部には、第１キャビティ、第２キャビティ及び第３キャビティが上から下へ順次に設けられている。ランプ本体の底部の端面には凹溝が設けられている。第１キャビティ内に第１ギアが設けられ、第１ギアの隣接する右側に第２ギアが噛合して接続されており、第２ギアの頂部は第１モータの動力を得るように接続されている。第１ギアの底部にはランプ本体の壁体を貫通してかつ第２キャビティに伸び込む伝動軸が設けられており、第２キャビティには、頂部が伝動軸に固定して接続される回動スリーブが設けられている。回動スリーブ内には雌ねじ室が設けられ、雌ねじ室には移動ブロックが螺合接続され、移動ブロックには第１貫通孔が上下に貫通して設置されている。第１ギア及び伝動軸には第２貫通孔が上下に貫通して設置され、第２貫通孔には上下に延伸して設置される回動軸が設けられている。回動軸の頂部端は、第２モータの動力を得るように接続され、回動軸の底部の延長部分は、第２貫通孔及び雌ねじ室を通過してかつ第３キャビティに伸び込んでおり、回動軸の末端にはスクリューが固定して設置されている。第１貫通孔の左右両側における移動ブロックの底部には、下へ延伸して設置される接続棒が対称に設けられ、接続棒の外側壁には第１スライド溝が設けられている。第３キャビティの左右両側の頂部の内壁には、第１スライド溝に嵌め込んで滑合接続するスライド案内ブロックが相対的に設けられている。接続棒の底部の延伸端は、第３キャビティに伸び込んで、かつ底部の末端には給電ピンが設けられ、給電ピンに対向するスライダには第１導電孔が設けられている。導電ブロックは、第１導電孔に電気接続し、第１電気伝導孔は第２電気伝導孔に電気接続している。第３キャビティの両側内壁には第２スライド溝が対称に設けられ、第３キャビティには両側端が第２スライド溝に伸び込んでかつ滑合接続するスライダが設けられ、スライダはスクリューに螺合接続している。第１モータ及び第２モータは、それぞれ、ランプ本体１内に設置される制御装置により制御されている。制御装置は、第１モータ制御素子と第２モータ制御素子を含み、第１モータ制御素子は、雌ねじ室の底部に固定して設置されている。移動ブロックが雌ねじ室の底部まで移動すると、第１モータ制御素子に触れ、第１モータ制御素子は、第１モータが回動を停止するように制御する。第２モータ制御素子は、スライダの頂部端面に設けられており、スライダの頂部端面が接続棒の底部端面に当接するとき、接続棒は第２モータ制御素子に触れ、第２モータ制御素子は、第２モータが回動を停止するように制御する。伝動軸は、ランプ本体の壁体の接触部と回転可能に接続されている。スライダの底部の両側には下へ延伸して設置される支持棒が設けられており、支持棒は、ランプ本体の壁体を貫通して凹溝を通過して凹溝の底部外へ伸びている。凹溝の内頂壁には導電ブロックが設けられ、支持棒の底部には取付具が設けられ、取付具の底部端面には雌ねじ溝が設けられ、雌ねじ溝の内頂壁には第１電気伝導孔が設けられ、取付具の頂部端面には第２電気伝導孔が設けられている。
【図面の簡単な説明】
【０００４】
【図１】図１は、本発明の内部構造を模式的に示す図である。
【図２】図２は、本発明の取り付けるときの構造を模式的に示す図である。
【図３】図３は、本発明の取り付けた後の構造を模式的に示す図である。
【図４】図４は、本発明のランプホルダーの底面図である。
【発明を実施するための形態】
【０００５】
図１〜図４に示すように、本発明に係る取付けの自動制御が可能なＬＥＤランプ構造は、ランプ本体１及びランプ本体１の底部の下方に取り付けられるランプホルダー３を含み、ランプホルダー３は、雄ねじ接続部３２と、雄ねじ接続部３２の頂部端面に固定して設置される電気接続ロッド３４と、雄ねじ接続部３２の底部に固定される取付プレート３１と、取付プレート３１の底部に取り付けられるＬＥＤランプ部３３とを含み、それにより、取付ステップ及び補助装置による取付を減少する。ランプ本体１の内部には、第１キャビティ４、第２キャビティ５及び第３キャビティ６が上から下へ順次に設けられている。ランプ本体１の底部の端面には凹溝７が設けられている。第１キャビティ４内に第１ギア４１が設けられ、第１ギア４１の隣接する右側に第２ギア４２が噛合して接続されており、第２ギア４２の頂部は第１モータ４４の動力を得るように接続されている。第１ギア４１の底部にはランプ本体１の壁体を貫通してかつ第２キャビティ５に伸び込む伝動軸４１１が設けられており、第２キャビティ５には、頂部が伝動軸４１１に固定して接続される回動スリーブ５１が設けられている。回動スリーブ５１内には雌ねじ室５１１が設けられ、雌ねじ室５１１には移動ブロック５１２が螺合接続され、移動ブロック５１２には第１貫通孔５１３が上下に貫通して設置されている。第１ギア４１及び伝動軸４１１には第２貫通孔４１２が上下に貫通して設置され、第２貫通孔４１２には上下に延伸して設置される回動軸４３１が設けられている。回動軸４３１の頂部端は、第２モータ４３の動力を得るように接続され、回動軸４３１の底部の延長部分は、第２貫通孔４１２及び雌ねじ室５１１を通過してかつ第３キャビティ６に伸び込んでおり、回動軸４３１の末端にはスクリュー４３２が固定して設置されている。第１貫通孔５１３の左右両側における移動ブロック５１２の底部には、下へ延伸して設置される接続棒５１４が対称に設けられ、接続棒５１４の外側壁には第１スライド溝５１５が設けられている。第３キャビティ６の左右両側の頂部の内壁には、第１スライド溝５１５に嵌め込んで滑合接続するスライド案内ブロック１１が相対的に設けられている。接続棒５１４の底部の延伸端は、第３キャビティ６に伸び込んで、かつ底部の末端には給電ピン５１６が設けられ、給電ピン５１６に対向するスライダ６１には第１導電孔６２が設けられている。導電ブロック７１は、第１導電孔６２に電気接続し、第１電気伝導孔２２は第２電気伝導孔２３に電気接続している。第３キャビティ６の両側内壁には第２スライド溝６３が対称に設けられ、第３キャビティ６には両側端が第２スライド溝６３に伸び込んでかつ滑合接続するスライダ６１が設けられ、スライダ６１はスクリュー４３２に螺合接続している。第１モータ４４及び第２モータ４３は、それぞれ、ランプ本体１内に設置される制御装置により制御されている。制御装置は、第１モータ制御素子４４１と第２モータ制御素子４３１を含み、第１モータ制御素子４４１は、雌ねじ室５１１の底部に固定して設置されている。移動ブロック５１２が雌ねじ室５１１の底部まで移動すると、第１モータ制御素子４４１に触れ、第１モータ制御素子４４１は、第１モータ４４が回動を停止するように制御する。第２モータ制御素子４３１は、スライダ６１の頂部端面に設けられており、スライダ６１の頂部端面が接続棒５１４の底部端面に当接するとき、接続棒５１４は第２モータ制御素子４３１に触れ、第２モータ制御素子４３１は、第２モータ４３が回動を停止するように制御する。伝動軸４１１は、ランプ本体１内の壁体の接触部と回転可能に接続されている。スライダ６１の底部の両側には下へ延伸して設置される支持棒６４が設けられており、支持棒６４は、ランプ本体１の壁体を貫通して凹溝７を通過して凹溝７の底部外へ伸びている。凹溝７の内頂壁には導電ブロック７１が設けられ、支持棒６４の底部には取付具２が設けられ、取付具２の底部端面には雌ねじ溝２１が設けられ、雌ねじ溝２１の内頂壁には第１電気伝導孔２２が設けられ、取付具２の頂部端面には第２電気伝導孔２３が設けられている。それにより、導電ブロック７１と装着人員を隔離させ、取り付けるとき、不測の感電を防止する。
【０００６】
初期状態では、移動ブロック５１２は雌ねじ室５１１の最頂部に位置しており、この際、スライド案内ブロック１１は、第１スライド溝５１５の最底部に位置すると共に、スライダ６１は、第３キャビティ６及び第２スライド溝６３の最底部に位置している。このとき、給電ピン５１６は、第１導電孔６２から最も離れると共に、支持棒６４の末端における取付具２は最も凹溝７外へ伸び出している。
【０００７】
取り付けて使用する必要があるとき、まず、ランプホルダー３をランプ本体１の下方に移動し、ランプホルダー３の頂部の雄ねじ接続部３２と雌ねじ溝２１を位置合わせし、その後、ランプホルダー３を上へ押し上げて、雄ねじ接続部３２の頂部を雌ねじ溝２１の底部に徐々に当接させる。この際、雄ねじ接続部３２の頂部が雌ねじ溝２１の底部に当接するとき、電気接続ロッド３４が第１電気伝導孔２２に徐々に挿入するまで、取付プレート３１を回して雄ねじ接続部３２を雌ねじ溝２１の内部に徐々にねじ込む。電気接続ロッド３４が第１電気伝導孔２２に完全に挿入されるとき、雄ねじ接続部３２の頂部端面は、雌ねじ溝２１の内頂壁に当接し、その後、第１モータ４４を制御して第２ギア４２を回動させ、第２ギア４２により第１ギア４１、第１ギア４１の底部における伝動軸４１１及び回動スリーブ５１を回動させる。接続棒５１４における第１スライド溝５１５とスライド案内ブロック１１とが滑合接続することにより、回動スリーブ５１の回動は、図２に示すように、移動ブロック５１２が雌ねじ室５１１の最底位置に移動するまで移動ブロック５１２及び接続棒５１４を下へ徐々に移動させる。移動ブロック５１２が雌ねじ室５１１の最底位置に移動するとき、第１モータ４４は、回動が停止する。最後に、第２モータ４３を制御して回動軸４３１及びスクリュー４３２を回動させ、スクリュー４３２の回動によりスライダ６１を第２スライド溝６３に沿って徐々に上へスライドさせる。このとき、スライダ６１は、図３に示すように、取付具２の頂部端面が凹溝７の内頂壁に当接するまで、支持棒６４及び取付具２を上へ移動させる。取付具２の頂部端面が凹溝７の内頂壁に当接するとき、導電ブロック７１は、第２電気伝導孔２３に完全に挿入すると共に、スライダ６１の頂部端面は、接続棒５１４の底部端面に当接し、このとき、給電ピン５１６は、第１導電孔６２に完全に挿入すると共に、取付プレート３１の底部端面とランプ本体１の底部端面とは面一となり、第２モータ４３は回動を停止する。
【０００８】
本発明の有益な効果は、以下の通りである。
本発明は、自動的に給電接続を制御し、人員の接触を減少し、装着人員が取り付けるときに不測の接触による感電事故の発生を防止し、自動的に差し込んで給電すると共に、自動的に緊密な接続を完了する。本発明は、構造が簡単であり、操作しやすく、操作を自動的に制御し、かつ安全性及び安定性が高く、取付け速度が速い。
【図１】
2019087514.tif 000003
【図２】
2019087514.tif 000004
【図３】
2019087514.tif 000005
【図４】
2019087514.tif 000006